(57)【要約】【課題】  本発明は、ユーザの番組タイトル整理の手間を軽減させることができる記録再生装置を提供することを目的とする。【解決手段】  本発明の記録再生装置は、記録した番組のタイトル名の一部が重複する番組が複数あり、かつ該タイトル名の一部が重複するフォルダがない場合、該タイトル名の一部をフォルダ名とするフォルダを生成させることを特徴とする。【選択図】  図２
2007250040.tif 000002
【特許請求の範囲】
【請求項１】
装置外部から番組のタイトル名を含む番組データと、前記番組の映像情報とを受信する受信手段と、
前記受信手段による前記番組データ及び前記番組を記録する記録手段と、
前記番組データ及び前記番組をひとまとまりで管理するフォルダと、
前記フォルダの生成を制御する制御手段と
を備え、
前記制御手段を、
前記記録した前記番組のタイトル名の一部が重複する番組が複数あり、かつ該タイトル名の一部が重複する前記フォルダがない場合、該タイトル名の一部をフォルダ名とする前記フォルダを生成させるように構成することを特徴する記録再生装置。
【請求項２】
装置外部から番組のタイトル名を含む番組データと、前記番組の映像情報とを受信する受信手段と、
前記受信手段による前記番組データ及び前記番組を記録する記録手段と、
前記番組データ及び前記番組をひとまとまりで管理するフォルダと、
前記フォルダの生成を制御する制御手段と
を備え、
前記制御手段を、
前記記録した前記番組のタイトル名の一部が重複するフォルダ名の前記フォルダがある場合、前記記録した前記番組を該フォルダに移動させるように構成することを特徴する記録再生装置。
【発明の詳細な説明】
【技術分野】
【０００１】
本発明は、映像情報を記録，再生可能な記録再生装置に関する。
【背景技術】
【０００２】
映像情報を記録，再生可能な記録再生装置において、放送局またはサーバから供給される電子番組表(EPG: Electronic Program Guide)を用いて映像情報を含む番組を録画予約できることが知られている。記録再生装置は、録画した番組を１つのタイトルとしてHDD若しくはDVDディスクに保存し、この録画された複数のタイトルを一覧としてリスト化したものを録画タイトル情報としてユーザに提供している。通常このリストは録画された順にタイトルが並んでおり、ユーザは自分の視聴したいタイトルをこのリストから探すことになる。しかしながらあまりにも膨大な量のタイトル数になるとリストからユーザが視聴したいタイトルを探すことが困難になる。このためユーザがタイトルを整理することが容易になるフォルダ機能というものを搭載し、ユーザが手動で複数のフォルダを作成しそのフォルダの中に自分の好きなように番組タイトルを移動することにより、視覚的に番組リストを整理することが可能となり、同時に視聴したいタイトルを探すことが容易になるというものである。
【０００３】
なお、録画予約された番組をもとに新規にフォルダを自動生成するものは知られている。
【特許文献１】特開平2004-348807公報
【発明の開示】
【発明が解決しようとする課題】
【０００４】
しかし、従来の装置は、フォルダ作成，フォルダへのタイトルの移動という作業は手動で行う必要があり、録画タイトルが多くなればなる程このタイトル整理作業のユーザの手間が発生するという問題点があった。
【０００５】
本発明は、ユーザの番組タイトル整理の手間を軽減させることができる記録再生装置を提供することを目的とする。
【課題を解決するための手段】
【０００６】
上記目的を達成するために、本発明の記録再生装置は、装置外部から番組のタイトル名を含む番組データと、前記番組の映像情報とを受信する受信手段と、
前記受信手段による前記番組データ及び前記番組を記録する記録手段と、
前記番組データ及び前記番組をひとまとまりで管理するフォルダと、
前記フォルダの生成を制御する制御手段と
を備え、
前記制御手段を、
前記記録した前記番組のタイトル名の一部が重複する番組が複数あり、かつ該タイトル名の一部が重複する前記フォルダがない場合、該タイトル名の一部をフォルダ名とする前記フォルダを生成させるように構成することを特徴する。
【０００７】
また、装置外部から番組のタイトル名を含む番組データと、前記番組の映像情報とを受信する受信手段と、
前記受信手段による前記番組データ及び前記番組を記録する記録手段と、
前記番組データ及び前記番組をひとまとまりで管理するフォルダと、
前記フォルダの生成を制御する制御手段と
を備え、
前記制御手段を、
前記記録した前記番組のタイトル名の一部が重複するフォルダ名の前記フォルダがある場合、前記記録した前記番組を該フォルダに移動させるように構成することを特徴する。
【発明の効果】
【０００８】
本発明によれば、ユーザの番組タイトル整理の手間を軽減させることができる。
【発明を実施するための最良の形態】
【０００９】
以下、図面を参照して本発明の実施の形態を説明する。
【００１０】
図１は、本発明に係る実施形態を備えた記録再生装置10の概略ブロック図である。図１において、記録再生装置１０には、いわゆる地上波放送の受信チューナ（以下、地上波チューナと略称する）１が内蔵され、この地上波チューナ１には、アンテナ端子１１に接続される地上波放送の受信アンテナ（以下、地上波アンテナと略称する）２０からの受信信号が供給される。また、いわゆる衛星(BS/CS)放送の受信アンテナ（以下、衛星アンテナと略称する）３０からの受信信号が、外付けの衛星放送の受信チューナ（以下、BS/CSチューナと略称する）３１に供給され、受信復調されたデジタルデータ信号と、さらにデコードされたアナログテレビジョン信号が取り出される。さらに、外付けのＢＳ／ＣＳチューナ３１から取り出されるアナログテレビジョン信号が、記録再生装置１０のアナログ入力端子１２に供給されると共に、ＢＳ／ＣＳチューナ３１から取り出されるデジタルデータ信号が、記録再生装置１０のデータ入力端子１３に供給される。なお、BS/CSチューナ31は、地上波チューナ1と同様に記録再生装置10内にあってもよい。
【００１１】
そして、データ入力端子１３に供給されるデジタルデータ信号が、制御CPU(Central Processing Unit)2に供給され、例えばデジタルデータ信号中に含まれる電子番組表（Electric Program Guide：以下、EPGと略称する）のデータ（番組データ）が取得されて、電子番組表が形成される。
【００１２】
また、記録再生装置１０に内蔵の地上波チューナ１で受信復調されるアナログテレビジョン信号からも、重畳されたＥＰＧのデータが取り出されて、制御ＣＰＵ２に供給される。この地上波のＥＰＧのデータ（番組データ）についても電子番組表が形成される。
【００１３】
さらに、記録再生装置１０を構成する通信部１６からのネットワーク接続端子１７はインターネット等から成るネットワーク７０を介して接続され、制御ＣＰＵ２からのアクセスによりＥＰＧデータ（番組データ）が取得され、電子番組表が形成される。
【００１４】
そして、上記電子番組表を用いて、ユーザがリモートコントロール装置５０を操作し、リモートコントロール装置５０の出力を記録再生装置１０に設けられたリモートコントロール受信器１５が受信し、制御ＣＰＵ２に供給されることにより、記録したい番組の放送時間帯と放送チャンネル等が設定されると、設定された内容に応じて録画装置３(例えば、HDD及びDVD-RAMドライブ。なお、これらはどちらか一方のみでもよい)が駆動されると共に、内蔵の地上波チューナ１及び外付けのBS/CSチューナ３１に選局等の制御信号が供給される。これによって、内蔵の地上波チューナ１及び外付けのBS/CSチューナ３１で、受信復調及びデコードされたテレビジョン信号の映像信号及び音声信号等が録画装置３に記録される。この時、番組と一緒に番組データ(タイトル名等)が一緒に記録される。これらは、制御CPU2によって制御される。なお、録画装置３での記録再生にあたっては、周知のＡ／Ｄ、Ｄ／Ａ変換等が行われるが、図示は省略する。
【００１５】
さらに、録画装置３に記録されたテレビジョン信号の映像信号及び音声信号等が、制御ＣＰＵ２の制御に従って再生され、混合器４を通じて出力端子１４に取り出される。そして出力端子１４に取り出された信号は、受像機４０に供給されて、映像信号の表示及び音声信号の出力等が行われる。
【００１６】
また、制御ＣＰＵ２で形成された電子番組表の画像や、その他の操作ガイドの画像が、混合器４に供給され、録画装置３から再生される映像信号に重畳される。これにより、これらの電子番組表や操作ガイド等の画像は、受像機４０で受像される映像信号の画面に重畳して表示される。
【００１７】
図２は、ユーザが録画した複数のタイトルの一覧例を示す画面例，図３は、フォルダを自動作成するフローチャートを示す。
【００１８】
まず、図２について説明すると、図２(a)は、自動整理前のタイトル一覧を示す。なお、図２において、「フォルダ」は複数のタイトルを入れることができるフォルダを示し、「タイトル」は1つのタイトルで、番組及び番組データを示す。図２(a)では、フォルダは「危険な姉貴」の1つだけで、タイトルが複数(「危険な姉貴「青梅市議〜」」，「ミリオネア 今夜はついに 10」，「ミリオネア 秋の芸能人スペシャル〜」，「ドラえもん」2つ等)記録されていることを示す。図２(a)の状態から、図３のフローチャートにあるように、制御CPU2は、記録されている全てのタイトルのタイトル名と重複する文字列を持つ予め作成されているフォルダがあるか否かをチェックする(ステップS401)。このチェックは、n番目(nは1以上の整数)のタイトルの文字列と複数のフォルダの文字列を検索して比較する。なお、この時の比較は、前方一致(「危険な姉貴」?)や完全一致(「ドラえもん」)のいずれでもよいが、これらはあらかじめ初期設定において画面表示を行い、ユーザに選択させてもよい。
【００１９】
制御CPU2が、n番目のタイトル「危険な姉貴「青梅市議〜」をチェックすると、既存のフォルダ「危険な姉貴」があるため、タイトル「危険な姉貴「青梅市議〜」を既存のフォルダ「危険な姉貴」に移動する(ステップS402)。図２(b)は、タイトル「危険な姉貴「青梅市議〜」が既存のフォルダ「危険な姉貴」に移動した後の状態の画面例を示す。
【００２０】
上記チェックを記録しているタイトル全てに対して行ったか否かをチェックし(ステップS404)、Noの場合はn+1番目のタイトルについてS401のチェックを行う。
【００２１】
ステップS401において、Noの場合、例えば、図２(b)の画面右上のタイトル「ドラえもん」をチェックした場合、既存のフォルダはないため、別のタイトルのタイトル名で重複するタイトルがあるか否かをチェックする(ステップS403)。ステップS403でYesの場合、該検索に使った文字列「ドラえもん」をフォルダ名とするフォルダを自動で新設する(ステップS405)。そして、図２(b)で2つあったタイトル「ドラえもん」が図２(c)の新設されたフォルダ「ドラえもん」に移動させる。この結果、図２(c)の状態となる。なお、S403でNoの場合は、ステップS404に進む。なお、ステップS403のチェックにより、図２(c)に示すように、タイトル名が重複しないタイトル、例えば「サッカー日本×フランス」はフォルダが作られない。
【００２２】
ステップS404でYesの場合は、全てのタイトルのチェックが完了したと判断して、処理を終了する。
【００２３】
上記の動作を行うことにより、膨大な録画タイトル情報の中から文字列検索を行い、フォルダの自動作成や自動分類を行うことでユーザの番組タイトル整理の手間を軽減させる効果が得られる。
【図面の簡単な説明】
【００２４】
【図１】本発明の一実施の形態による記録再生装置の概略構成図。
【図２】同実施の形態にかかわるユーザが録画した複数のタイトルの一覧例を示す画面例。
【図３】同実施の形態にかかわるフォルダを自動作成するフローチャート。
【符号の説明】
【００２５】
2  制御CPU
3  録画装置
10  記録再生装置
【図１】
2007250040.tif 000003
【図２】
2007250040.tif 000004
【図３】
2007250040.tif 000005